(57)【特許請求の範囲】
【請求項１】
ナースコール子機と、ナースコール親機と、携帯端末と、前記ナースコール子機、前記ナースコール親機及び前記携帯端末と通信可能に接続された制御機と、を備えるナースコールシステムであって、
前記ナースコール子機は、第一通信規格に適合した第一音声コーデックと、前記第一通信規格とは異なる第二通信規格に適合した第二音声コーデックと、を有し、
前記ナースコール親機は、前記第一音声コーデックと、前記第二音声コーデックと、を有し、
前記携帯端末は、前記第一音声コーデックを有し、
前記制御機は、
前記ナースコール子機が発した呼出信号を、前記ナースコール親機及び前記携帯端末へ転送する転送部と、
前記呼出信号に対して先に応対した前記ナースコール親機又は前記携帯端末が発信する応対信号に基づいて応対機器を特定し、特定された前記応対機器と前記ナースコール子機とで共通して使用可能な通信規格を決定し、決定された前記通信規格に基づいて、特定された前記応対機器及び前記ナースコール子機が使用する音声コーデックを選択する選択部と、
前記選択部が選択した音声コーデックの使用を命令する命令信号を、特定された前記応対機器及び前記ナースコール子機に送信する送信部と、
を備える、ナースコールシステム。
【請求項２】
前記第二音声コーデックが適合する通信規格の通信帯域幅は、前記第一音声コーデックが適合する通信規格の通信帯域幅よりも広い、請求項１に記載のナースコールシステム。
【請求項３】
前記制御機は、前記ナースコール子機が発した前記呼出信号に対して前記ナースコール親機が先に応対した場合、前記ナースコール子機と前記ナースコール親機との間において前記第二音声コーデックに適合した通信規格の通話路を形成する、請求項１または請求項２に記載のナースコールシステム。
【請求項４】
前記制御機は、前記ナースコール子機が発した前記呼出信号に対して前記携帯端末が先に応対した場合、前記ナースコール子機と前記携帯端末との間において前記第一音声コーデックに適合した通信規格の通話路を形成する、請求項１から請求項３のいずれか一項に記載のナースコールシステム。
【発明の詳細な説明】
【技術分野】
【０００１】
本発明は、ナースコールシステムに関するものである。
【背景技術】
【０００２】
従来、ナースコールシステムとして、患者が病室内のベッドに設置されたナースコール子機を用いて、ナースステーションに設置されたナースコール親機や担当看護師等が携帯する携帯端末を呼び出して看護師等と通話することが可能なシステムがある。従来のシステムでは、ナースコール子機からの呼出信号は、転送設定に応じて、ナースコール親機及び看護師の携帯端末に同時に転送されるため、看護体制や業務状況に応じて適切な者が呼出に対して応対することができて便利である（特許文献１参照）。
【先行技術文献】
【特許文献】
【０００３】
【特許文献１】特開２００７−２０２７１２号公報
【発明の概要】
【発明が解決しようとする課題】
【０００４】
しかしながら、従来のナースコールシステムでは、ナースコール子機からの呼出に対していずれの機器が応対するか事前には分からないため、システムを構成する各機器で共通の通信規格を採用する必要があり、各機器には共通の通信規格に適合した音声コーデックを設けなければならなかった。このため、例えば、ナースコール子機とナースコール親機との間で通話品質を高めたいというニーズがあった場合であっても、看護師の携帯端末の通信規格を変更できない等の事情があった場合には、そのニーズに合ったシステム設計をすることができなかった。このように、従来のナースコールシステムでは、個別の機器の通信規格の制約が、通話品質に関するシステム全体の設計の障害となる場合があった。
【０００５】
そこで、本発明は、通話品質に関するシステム全体の設計自由度を向上させることが可能なナースコールシステムを提供することを目的とする。
【課題を解決するための手段】
【０００６】
上記目的を達成するために、本発明のナースコールシステムは、
ナースコール子機と、ナースコール親機と、携帯端末と、前記ナースコール子機、前記ナースコール親機及び前記携帯端末と通信可能に接続された制御機と、を備えるナースコールシステムであって、
前記ナースコール子機は、第一通信規格に適合した第一音声コーデックと、前記第一通信規格とは異なる第二通信規格に適合した第二音声コーデックと、を有し、
前記ナースコール親機は、前記第一音声コーデックと、前記第二音声コーデックとを有し、
前記携帯端末は、前記第一音声コーデックを有し、
前記制御機は、
前記ナースコール子機、前記ナースコール親機、及び前記携帯端末を少なくとも含む呼出機器のいずれかが発した呼出信号を、前記呼出信号の呼出先へ転送する転送部と、
前記呼出信号に対して応対した応対機器が発信する応対信号に基づいて前記応対機器を特定し、特定された前記応対機器と前記呼出機器とで共通して使用可能な通信規格を決定し、決定された前記通信規格に基づいて、特定された前記応対機器及び前記呼出機器が使用する音声コーデックを選択する選択部と、
前記選択部が選択した音声コーデックの使用を命令する命令信号を、特定された前記応対機器及び前記呼出機器に送信する送信部と、を備える。
【０００７】
上記構成によれば、ナースコール子機及びナースコール親機は第一音声コーデックと第二音声コーデックを有し、携帯端末は第一音声コーデックを有し、制御機は、呼出信号に対して応対した応対機器が発する応対信号に基づいて、呼出機器と応対機器との組み合わせ毎に通信規格及び音声コーデックを選択し、それらの機器間の通話音声のための通話路を形成する。このため、システムを構成する個別の機器の通信規格の制約が、通話品質に関するシステム全体の設計の障害となることを回避することができ、システム全体の設計自由度を向上させることができる。
【０００８】
また、本発明のナースコールシステムにおいて、
前記第二音声コーデックが適合する通信規格の通信帯域幅は、前記第一音声コーデックが適合する通信規格の通信帯域幅よりも広くても良い。
【０００９】
この構成によれば、第二通信規格に適合する第二音声コーデックを共通して使用可能な機器間において通話品質の高い通話路を形成することができる。
【００１０】
また、本発明のナースコールシステムにおいて、
前記呼出機器は前記ナースコール子機であり、
前記制御機は、前記ナースコール子機が発した前記呼出信号に対して前記ナースコール親機が応対した場合、前記ナースコール子機と前記ナースコール親機との間において前記第二音声コーデックに適合した通信規格の通話路を形成しても良い。
【００１１】
この構成によれば、例えばナースコール子機とナースコール親機との間で通話品質を高めたいというニーズに応えることができる。
【００１２】
また、本発明のナースコールシステムにおいて、
前記呼出機器は前記ナースコール子機であり、
前記制御機は、前記ナースコール子機が発した前記呼出信号に対して前記携帯端末が応対した場合、前記ナースコール子機と前記携帯端末との間において前記第一音声コーデックに適合した通信規格の通話路を形成しても良い。
【００１３】
この構成によれば、ナースコール親機より先に携帯端末が応対した場合には、各機器に共通して設けられた第一音声コーデックに基づいて、ナースコール子機と携帯端末との間で通話路が形成される。
【００１４】
また、本発明のナースコールシステムにおいて、
さらに、前記制御機と通信可能に接続されるとともに、前記第一音声コーデックと前記第二音声コーデックとを有する玄関子機を備え、
前記呼出機器は前記玄関子機であり、
前記制御機は、前記玄関子機が発した前記呼出信号に対して前記ナースコール親機が応対した場合、前記玄関子機と前記ナースコール親機との間において前記第二音声コーデックに適合した通信規格の通話路を形成しても良い。
【００１５】
この構成によれば、例えば病棟のエントランスに設置される玄関子機とナースコール親機との間で通話品質を高めたいというニーズに応えることができる。
【００１６】
また、本発明のナースコールシステムにおいて、
さらに、前記制御機と通信可能に接続されるとともに、前記第一音声コーデックと前記第二音声コーデックとを有する玄関子機を備え、
前記呼出機器は前記玄関子機であり、
前記制御機は、前記玄関子機が発した前記呼出信号に対して前記携帯端末が応対した場合、前記玄関子機と前記携帯端末との間において前記第一音声コーデックに適合した通信規格の通話路を形成しても良い。
【００１７】
この構成によれば、ナースコール親機より先に携帯端末が応対した場合には、各機器に共通して設けられた第一音声コーデックに基づいて、玄関子機と携帯端末との間で通話路が形成される。
【発明の効果】
【００１８】
本発明のナースコールシステムによれば、通話品質に関するシステム全体の設計自由度を向上させることができる。
【図面の簡単な説明】
【００１９】
【図１】本発明の実施形態に係るナースコールシステムの構成図である。
【図２】ナースコールシステムにおける制御機の機能ブロック図である。
【図３】ナースコールシステムにおけるナースコール子機の機能ブロック図である。
【図４】ナースコールシステムにおけるナースコール親機の機能ブロック図である。
【図５】ナースコールシステムにおける携帯端末の機能ブロック図である。
【図６】ナースコールシステムにおけるドアホンの機能ブロック図である。
【図７】使用規格テーブルの一例を示す図である。
【発明を実施するための形態】
【００２０】
以下、本発明に係るナースコールシステムの実施形態の一例について、図面を参照して詳細に説明する。
【００２１】
図１に示すように、ナースコールシステム１は、複数の（本例では４つの）ナースコール子機２ａ，２ｂ，２ｃ，２ｄ（以下、総称する場合はナースコール子機２と称する）と、ナースコール親機３と、複数の（本例では２つの）廊下灯４ａ，４ｂ（以下、総称する場合は廊下灯４と称する）と、制御機５と、複数の（本例では４つの）携帯端末６ａ，６ｂ，６ｃ，６ｄ（以下、総称する場合は携帯端末６と称する）と、基地局７Ａと、交換機７Ｂと、ドアホン（玄関子機の一例）８と、管理ＰＣ（オーダリングシステム）９とを備えている。これらの各部は、ハブ（ＨＵＢ）１０を介して通信可能に接続されている。ナースコールシステム１は、例えば患者を収容する病院等の医療、介護施設内に設置されている。
【００２２】
ナースコール子機２は、患者が看護師を呼び出して通話を行うためのものであり、病室内のベッド毎に設置されている。ナースコール子機２は、プレート子機２１と、握り子機２２とを有する。プレート子機２１は、患者が看護師との間で相互に通話を行うための子機マイク２３及び子機スピーカ２４を備え、例えばベッドの上方の壁面に設置されている。握り子機２２は、患者が呼出操作する子機呼出ボタン２５を備え、プレート子機２１にケーブルで接続されている。ナースコール子機２は、通信ケーブルを通じて廊下灯４に接続されている。
【００２３】
廊下灯４は、各患者からの呼出信号を検出してその呼出信号を病室外へ報知するものであり、例えば病室の入口付近に設置されている。廊下灯４には、液晶表示部４１と表示ランプ４２が設けられている。液晶表示部４１は、ナースコール子機２から呼出があると、呼出をした患者の名前等の患者情報が液晶表示部４１に表示されるように構成されている。また、表示ランプ４２は、ナースコール子機２から呼出があると、例えば点滅するように構成されている。
【００２４】
ナースコール親機３は、患者、看護師、来訪者等からの呼出に応答したり、看護師が患者、他の看護師を呼び出したりする機能、あるいは患者や看護師等の情報を表示したりする機能を有する。ナースコール親機３は、スタッフステーション等の施設内共用部に設置されている。ナースコール親機３は、大型モニタ３１と、小型モニタ３２と、親機マイク３３と、親機スピーカ３４とを有する。
【００２５】
大型モニタ３１は、例えば２４型の縦長のタッチパネル画面で構成されており、全患者に関する患者情報を表示する。また、大型モニタ３１は、ナースコール親機３の操作部としても機能することが可能である。小型モニタ３２は、例えば７型の横長のタッチパネル画面で構成されており、ナースコール子機２から呼出があった場合、その呼出をした患者のベッド番号や名前等を含む患者情報を表示する。親機マイク３３及び親機スピーカ３４は、ナースステーションの看護師が患者、他の看護師、来訪者等と通話を行うために用いられる。
【００２６】
制御機５は、中継器として設置されており、呼出、応答等を含む各機器間の通信を制御する。制御機５は、ハブ１０を介して、廊下灯４、ナースコール親機３、交換機７Ｂ、ドアホン８、及び管理ＰＣ９と例えばＬＡＮ（Local Area Network）により接続されている。
【００２７】
携帯端末６は、ナースコール子機２、ナースコール親機３、及びドアホン８からの呼出を通知するとともに、呼出に応答して患者、看護師、及び来訪者と通話するためのものであり、各看護師によって携帯されている。携帯端末６には表示画面が設けられており、ナースコール子機２からの呼び出しが有ると、呼出元である患者の病室番号、ベッド番号、名前等が表示される。携帯端末６としては、例えばＰＨＳ６ａ，６ｂやスマート端末６ｃ，６ｄ等が用いられる。
【００２８】
基地局７Ａは、携帯端末６との間で無線通信を行うためのアンテナであり、施設内に所定の間隔で設置されている。交換機７Ｂは、携帯端末６とナースコール子機２、ナースコール親機３、及びドアホン８との接続を管理する機器である。基地局７Ａと交換機７Ｂとは、通信ケーブルで接続されている。
【００２９】
ドアホン８は、例えば来訪者等がナースコール親機３あるいは携帯端末６を呼び出して通話を行うためのものであり、病院の入口、病棟の入口等に設置されている。ドアホン８は、来訪者が看護師との間で相互に通話を行うためのドアホンマイク８１及びドアホンスピーカ８２と、ナースコール親機３等を呼び出すためのドアホン呼出ボタン８３と、来訪者を撮像するためのカメラ８４を備えている。
【００３０】
管理ＰＣ９は、各患者の患者情報を含む病院に関する情報を一括して管理する機器であり、例えば施設の管理室等の所定の場所に設置されている。
【００３１】
次に、制御機５の機能について説明する。
図２に示すように、制御機５は、制御機ＣＰＵ５１と、記憶部５２と、廊下灯インターフェース回路（以下、インターフェース回路を「Ｉ／Ｆ」と称す）５３と、親機Ｉ／Ｆ５４と、交換機Ｉ／Ｆ５５と、管理Ｉ／Ｆ５６とを備えている。
【００３２】
記憶部５２には、呼出を行う側の呼出機器と、呼出に応対する側の応対機器と、使用される音声コーデックとを対応づけた使用規格テーブルが記憶されている（図７参照）。使用される音声コーデックは、接続される機器の組合せに応じて予め設定されている。
【００３３】
制御機ＣＰＵ５１は、各機器間の接続制御、患者や看護師等に関する情報の制御、各Ｉ／Ｆを介して各機器と信号を送受信する制御等を行う。制御機ＣＰＵ５１は、転送部５１Ａと、選択部５１Ｂと、送信部５１Ｃとを備えている。
【００３４】
転送部５１Ａは、呼出を行う呼出機器から受信した呼出信号を、その呼出信号の呼出先である対象機器へ転送する。本例の呼出機器には、ナースコール子機２、ナースコール親機３、携帯端末６、及びドアホン８等が含まれる。本例では、呼出機器がナースコール子機２の場合、呼出信号は、ナースコール親機３と担当看護師等の携帯端末６へ転送される。また、呼出機器がナースコール親機３の場合にはナースコール親機３で特定したナースコール子機２又は特定した携帯端末６へ呼出信号が転送され、呼出機器が携帯端末６の場合には特定したナースコール子機２又はナースコール親機３へ呼出信号が転送され、呼出機器がドアホン８の場合にはナースコール親機３又は特定した携帯端末６へ呼出信号が転送される。なお、呼出機器と呼出信号が転送される機器の組み合わせは上述に限られず、設定により適宜に変更可能である。
【００３５】
選択部５１Ｂは、呼出信号に対して最先に応対した応対機器をその応対機器が発信する応対信号に基づいて特定する。また、選択部５１Ｂは、特定された応対機器と呼出機器とが共通して使用可能な音声の通信規格を使用規格テーブルを参照して決定する。また、選択部５１Ｂは、決定された音声の通信規格に基づき、応対機器及び呼出機器が使用する音声コーデックを選択する。送信部５１Ｃは、呼出機器と応対機器とに対して、選択部５１Ｂが選択した音声コーデックの使用を命令する命令信号を送信する。
【００３６】
廊下灯Ｉ／Ｆ５３は、廊下灯４と信号伝送路を形成するための通信部を構成する。また、親機Ｉ／Ｆ５４はナースコール親機３と、交換機Ｉ／Ｆ５５は交換機７Ｂと、管理Ｉ／Ｆ５６は管理ＰＣ９とそれぞれ信号伝送路を形成するための通信部を構成する。
【００３７】
次に、ナースコール子機２の機能について説明する。
図３に示すように、ナースコール子機２は、子機マイク２３と、子機スピーカ２４と、子機呼出ボタン２５と、子機ＣＰＵ２６と、子機音声コーデック２７と、廊下灯Ｉ／Ｆ２８とを備えている。
【００３８】
子機音声コーデック２７は、子機マイク２３に入力されて電気信号に信号処理された通話音声（アナログ音声信号）をアナログ／デジタル変換する。また、子機音声コーデック２７は、廊下灯Ｉ／Ｆ５４を介して送信されてくるデジタル音声信号をデジタル／アナログ変換する。変換されたデジタル信号は、廊下灯Ｉ／Ｆを介して送信され、変換されたアナログ音声信号は、子機スピーカ２４から出力される。子機音声コーデック２７には、G.711方式の音声コーデック（G.711コーデック）２７ａと、G.722方式の音声コーデック（G.722コーデック）２７ｂが設けられている。G.711コーデック（第一音声コーデックの一例）２７ａは、ナローバンド（300〜3500Hz）で、サンプリング周波数８ＫＨｚの通信規格（第一通信規格の一例）に適合した音声コーデックである。G.722コーデック（第二音声コーデックの一例）２７ｂは、ワイドバンド（50〜7000Hz）で、サンプリング周波数１６ＫＨＺの通信規格（第二通信規格の一例）に適合した音声コーデックである。このように、本例では、子機音声コーデック２７は、通信帯域幅の異なる２種類の通信規格を使用可能とされている。
【００３９】
子機ＣＰＵ２６は、例えば、制御機５の送信部５１Ｃから送信された命令信号を受信した場合、命令信号に従った音声コーデックを使用するように子機音声コーデック２７を制御する。また、子機ＣＰＵ２６は、子機呼出ボタン２５から入力された呼出信号を、廊下灯Ｉ／Ｆ２８を介して廊下灯４へ送信する。廊下灯Ｉ／Ｆ２８は、廊下灯４と信号伝送路を形成するための通信部を構成する。
【００４０】
次に、ナースコール親機３の機能について説明する。
図４に示すように、ナースコール親機３は、親機マイク３３と、親機スピーカ３４と、親機ＣＰＵ３５と、親機音声コーデック３６と、制御機Ｉ／Ｆ３７とを備えている。
【００４１】
親機音声コーデック３６は、上述したナースコール子機２の子機音声コーデック２７と同様に、G.711コーデック３６ａと、G.722コーデック３６ｂを有する。親機ＣＰＵ３５は、上述した子機ＣＰＵ２６と同様に、命令信号に従った音声コーデックを使用するように親機音声コーデック３６を制御する。制御機Ｉ／Ｆ３７は、制御機５と信号伝送路を形成するための通信部を構成する。
【００４２】
次に、携帯端末６の機能について説明する。
図５に示すように、携帯端末６は、携帯マイク６３と、携帯スピーカ６４と、携帯ＣＰＵ６１と、G.711コーデック６２と、制御機Ｉ／Ｆ３７とを備えている。G.711コーデック６２の機能は、上記G.711コーデックの機能と同様である。本例の携帯端末６は、１種類の通信規格を使用可能に構成されている。
【００４３】
次に、ドアホン８の機能について説明する。
図６に示すように、ドアホン８は、ドアホンマイク８１と、ドアホンスピーカ８２と、ドアホン呼出ボタン８３と、ドアホンＣＰＵ８５と、ドアホン音声コーデック８６と、制御機Ｉ／Ｆ８７とを備えている。
【００４４】
ドアホン音声コーデック８６は、上述したナースコール子機２の子機音声コーデック２７と同様に、G.711コーデック８６ａと、G.722コーデック８６ｂを有する。ドアホンＣＰＵ８５は、上述した子機ＣＰＵ２６と同様に、命令信号に従った音声コーデックを使用するようにドアホン音声コーデック８６を制御する。また、ドアホンＣＰＵ８５は、ドアホン呼出ボタン８３から入力された呼出信号を、制御機Ｉ／Ｆ８７を介して制御機５へ送信する。制御機Ｉ／Ｆ８７は、制御機５と信号伝送路を形成するための通信部を構成する。
【００４５】
次に、上記構成のナースコールシステム１における動作パターン例を説明する。
【００４６】
＜動作パターン１＞
・呼出機器がナースコール子機２であり応対機器がナースコール親機３の場合
握り子機２２の子機呼出ボタン２５が押下されると、プレート子機２１から子機ＩＤを含む呼出信号が出力され、出力された呼出信号は、廊下灯４を経由して制御機５へ送信される。
【００４７】
呼出信号を受信した制御機５は、制御機ＣＰＵ５１の転送部５１Ａが、呼出信号に含まれる子機ＩＤから呼出元を認識するとともに、呼出信号を呼出先であるナースコール親機３及び担当看護師等の携帯端末６へ転送して呼び出しを行う。呼出に対して応対があると応対した機器から応対信号が制御機５に送信され、制御機ＣＰＵ５１の制御により呼出が終了する。
【００４８】
制御機ＣＰＵ５１の選択部５１Ｂは、応対信号に基づいて応対機器（本パターンではナースコール親機３）を特定する。選択部５１Ｂは、呼出機器であるナースコール子機２と応対機器であるナースコール親機３が共通して使用することができる通信規格を決定するとともに、記憶部５２の使用規格テーブル５７（図７参照）に基づいて、使用する音声コーデックを選択する。図７に示すように、呼出機器がナースコール子機２で応対機器がナースコール親機３の場合、G.722方式の音声コーデック（G.722コーデック）を選択する。
【００４９】
音声コーデックが選択されると、制御機ＣＰＵ５１の送信部５１Ｃは、G.722コーデックの使用を命令する命令信号を、呼出機器であるナースコール子機２と応対機器であるナースコール親機３に送信する。ナースコール子機２とナースコール親機３は、G.722コーデックを用いて通話音声を処理する。これにより、応対したナースコール親機３と呼出元のナースコール子機２との間でG.722コーデックに適合した通信規格の通話路（信号伝送路）が形成される。
【００５０】
ところで、通話音声のための通話路を実現するために、呼出機器（ナースコール子機）と応対機器（ナースコール親機や携帯端末）では、共通の通信規格を用いる必要がある。そこで、従来のナースコールシステムでは、システムを構成する全ての機器を呼び出して通話可能とするために、通話音声をアナログ／デジタル変換、デジタル／アナログ変換するための音声コーデックについて、各機器に共通のもののみを設けていた。
【００５１】
これに対して、本実施形態のナースコールシステム１によれば、呼出機器のナースコール子機２及び応対機器のナースコール親機３は、共にG.711コーデックとG.722コーデックを有するように構成されている。そして、このような構成を有した機器の組合せの場合、通信帯域幅の広いG.722コーデックが選択されて、両機器間の通信音声のための通話路が形成される。これにより、ナースコール子機２とナースコール親機３間では、G.722コーデックによる通話品質の高い通話路を形成することができる。このため、ナースコールシステム１を構成する個別の機器（例えばＰＨＳや携帯端末等）の通信規格の制約が、通話品質に関するシステム全体の設計の障害となることを回避することができ、システム全体の設計自由度を向上させることができる。
【００５２】
＜動作パターン２＞
・呼出機器がナースコール子機２であり応対機器が携帯端末６の場合
ナースコール子機２の呼出に対して携帯端末６から応対があると、選択部５１Ｂは、呼出機器であるナースコール子機２と応対機器である携帯端末６が共通して使用することができる通信規格を決定し、使用規格テーブル５７（図７参照）に基づいて使用する音声コーデックを選択する。図７に示すように、呼出機器がナースコール子機２で応対機器が携帯端末６の場合、G.711コーデックが選択される。
【００５３】
音声コーデックが選択されると、送信部５１Ｃは、G.711コーデックの使用を命令する命令信号を、２種類の通信規格を使用可能に構成された呼出機器であるナースコール子機２に送信する。ナースコール子機２は、G.711コーデックを用いて通話音声を処理する。これにより、応対した携帯端末６と呼出元のナースコール子機２との間でG.711コーデックに適合した通信規格の通話路が形成される。
【００５４】
このような本実施形態のインターホンシステム１によれば、ナースコール子機２の呼出に対してナースコール親機３より先に携帯端末６が応対した場合、ナースコール子機２と携帯端末６との間で通話路を形成することができる。
【００５５】
＜動作パターン３＞
・呼出機器がドアホン８であり応対機器がナースコール親機３の場合
ドアホン８の子機呼出ボタン２５が押下されると、ドアホンＩＤを含む呼出信号が出力され、出力された呼出信号は、ハブ１０を介して制御機５へ送信される。
【００５６】
呼出信号を受信した制御機５は、上述した動作パターン１と同様にして、転送部５１Ａが呼出信号に含まれるドアホンＩＤに基づき呼出元を認識するとともに、呼出信号を呼出先であるナースコール親機３及び予め決められた看護師の携帯端末６へ転送して呼出を行う。ドアホン８の呼出に対して例えばナースコール親機３が最先に応対すると、選択部５１Ｂは、使用規格テーブル５７（図７参照）に基づいて、ドアホン８とナースコール親機３が共通して使用することができる２種類の通信規格のうちから通信帯域幅の広いG.722コーデックを選択する。
【００５７】
音声コーデックが選択されると、送信部５１Ｃは、G.722コーデックの使用を命令する命令信号を、ドアホン８とナースコール親機３に送信する。これにより、応対したナースコール親機３と呼出元のドアホン８との間でG.722コーデックに適合した通信規格の通話路が形成される。
【００５８】
このような本実施形態のインターホンシステム１によれば、呼出機器がドアホン８の場合にも、上述した動作パターン１と同様の効果を奏する。
【００５９】
なお、ドアホン８の呼出に対して携帯端末６が最先に応対した場合には、使用規格テーブル５７に示されるように、G.711コーデックが選択される。また、呼出機器がナースコール親機３や携帯端末６の場合にも、使用規格テーブル５７に基づいて音声コーデックが選択される。そして、これらの場合にも、上記形態と同様な効果を奏する。
【００６０】
なお、本発明は、上述した実施形態に限定されず、適宜、変形、改良等が自在である。その他、上述した実施形態における各構成要素の材質、形状、寸法、数値、形態、数、配置場所等は、本発明を達成できるものであれば任意であり、限定されない。
【００６１】
例えば、上記例では、ナースコール子機、ナースコール親機及びドアホンは２つの異なる音声コーデックを有している例を説明したが、この例に限られない。２つ以上の異なる音声コーデックを各機器に設けても良い。
【符号の説明】
【００６２】
１：ナースコールシステム、２（２ａ〜２ｄ）：ナースコール子機、３：ナースコール親機、５：制御機、６（６ａ〜６ｄ）：携帯端末、８：ドアホン（玄関子機の一例）、２７ａ，３６ａ，６２，８６ａ：G.711コーデック（第一音声コーデックの一例）、２７ｂ，３６ｂ，８６ｂ：G.722コーデック（第二音声コーデックの一例）、５１Ａ：転送部、５１Ｂ：選択部、５１Ｃ：送信部、５７：使用規格テーブル
【図１】
0006387315.tif 000002
【図２】
0006387315.tif 000003
【図３】
0006387315.tif 000004
【図４】
0006387315.tif 000005
【図５】
0006387315.tif 000006
【図６】
0006387315.tif 000007
【図７】
0006387315.tif 000008